(57)【要約】【課題】操作が確実で良好なクリック感が得られる押釦スイッチの取付構造を提供する。【解決手段】ケース１０内に押釦スイッチ１１を配設する。ケース１０の上面を覆うシート１３とケース上面との間に空間１４を形成する。この空間１４は、ケース１０の上面に形成した凹部１５の内部空間とされる。ケース１０の上面板１０Ａに貫通孔からなり凹部１５に連通する小孔１７を形成する。押釦スイッチ１１の押釦１８を小孔１７を通って凹部１５内に位置させ、シート１３と僅かな間隔を保って対向させる。シート１３の凹部１５に対応する部分をスイッチ操作部１６とし、これによって押釦１８を押し下げる。【選択図】  図１
2010092736.tif 000002
【特許請求の範囲】
【請求項１】
表面に柔軟性を有するシートが貼着されたケース内に押釦スイッチを配設した押釦スイッチの取付構造であって、
前記ケースと前記シートとの間に前記押釦スイッチに対応して空間を形成し、前記シートの前記空間に対応する部分をスイッチ操作部とし、
前記ケースに前記空間に連通する貫通孔を形成し、前記押釦スイッチの押釦を前記貫通孔を通って前記空間内に位置させ、
前記空間の深さを前記押釦の操作移動量より深くしたことを特徴とする押釦スイッチの取付構造。
【請求項２】
請求項１記載の押釦スイッチの取付構造において、
前記空間がケースの表面に形成した凹部であることを特徴とする押釦スイッチの取付構造。
【請求項３】
請求項１記載の押釦スイッチの取付構造において、
前記空間がエンボス加工によってシートの裏面側に形成した凹部であることを特徴とする押釦スイッチの取付構造。
【請求項４】
請求項１、２、３のうちのいずれか一項記載の押釦スイッチの取付構造において、
前記空間は、直径が１２ｍｍ〜２０ｍｍ、深さが０．３ｍｍ〜０．５ｍｍで、押釦の操作移動量が０．２ｍｍ〜０．４ｍｍであることを特徴とする押釦スイッチの取付構造。
【発明の詳細な説明】
【技術分野】
【０００１】
本発明は、押釦スイッチの取付構造に関する。
【背景技術】
【０００２】
温度調節器等の工業用計器には、設定温度や上、下限値等の入力設定等を行なうための押釦スイッチが実装されている。この種の押釦スイッチ３は、図９および図１０に示すように、工業用計器のケース１に一体に設けた操作レバー２と押釦４との隙間Ｇが最適な隙間（例えば、０．１ｍｍ）となるように、ケース１内のプリント基板５上に実装されている。ケース１の表面には、柔軟性を有するシート６が貼着されている。操作レバー２は、基端が片持支持されたヒンジ式のレバーからなり、押圧操作されるとヒンジ部７を支点として回動し、下面に突設した押圧部８が押釦４を押し下げて押釦スイッチ３を動作させる。
【発明の開示】
【発明が解決しようとする課題】
【０００３】
上記した押釦スイッチ３において、操作レバー２の寸法や、押釦スイッチ３、プリント基板５の組付け寸法等のばらつきにより、操作レバー２と押釦４との隙間Ｇにばらつきが生じることがある。この隙間寸法がばらつくと操作レバー２の操作時に良好なクリック感（操作レバーを操作して押釦を動作させたときの指が感じる感触）が得られなくなるばかりか、操作されなかったり常にスイッチが押された状態になる場合が生じるという問題があった。
また、操作レバー２を斜め上方から押すと、操作レバー２はヒンジ部７を支点として回動するため、押圧部８が押釦４に対して斜めに当たり、押釦４を確実に動作させることができない場合が生じるという問題もあった。
【０００４】
そこで、このような問題を解決するために、例えば特許文献１に開示されている電気採暖機の操作部が知られている。この操作部は、ヒンジ式のレバーの上面を基部の上面より低くし、かつレバーの上面を波形としている。このようにレバーの表面を波形に形成しておくと、レバーを押したとき波形面に加わる押圧力の方向が２方向となり、その合成力が垂直方向となるため、レバーが垂直に動作し押釦スイッチを確実に作動させることができる。
【０００５】
しかしながら、このような押釦スイッチの操作部においても、操作レバーの寸法のばらつきが大きいと上記した操作レバーと同様に良好なクリック感が得られなくなるという問題があった。
【０００６】
【特許文献１】特開平５−２８８８０号公報
【０００７】
本発明は、上記した従来の問題を解決するためになされたもので、その目的とするところは、操作が確実で良好なクリック感が得られる押釦スイッチの取付構造を提供することにある。
【課題を解決するための手段】
【０００８】
上記目的を達成するために本発明は、表面に柔軟性を有するシートが貼着されたケース内に押釦スイッチを配設した押釦スイッチの取付構造であって、前記ケースと前記シートとの間に前記押釦スイッチに対応して空間を形成し、前記シートの前記空間に対応する部分をスイッチ操作部とし、前記ケースに前記空間に連通する貫通孔を形成し、前記押釦スイッチの押釦を前記貫通孔を通って前記空間内に位置させ、前記空間の深さを前記押釦の操作移動量より深くしたものである。
【０００９】
また、本発明は、上記発明において、前記空間をケースの表面に形成した凹部で構成したものである。
【００１０】
また、本発明は、上記発明において、前記空間をエンボス加工によってシートの裏面側に形成した凹部で構成したものである。
【００１１】
さらに、本発明は、上記発明において、前記空間を直径が１２ｍｍ〜２０ｍｍ、深さが０．３ｍｍ〜０．５ｍｍとし、押釦の操作移動量を０．２ｍｍ〜０．４ｍｍとしたものである。
【発明の効果】
【００１２】
本発明においては、シートのスイッチ操作部が操作レバーや押圧部を介さずに押釦を直接押圧して動作させるため、操作レバーの寸法のばらつきがなく、確実に動作させることができ、良好なクリック感が得られる。また、スイッチ操作部の押釦の真上から離れた箇所を押した場合であっても、空間の範囲内であれば空間の深さが押釦の操作移動量より深いため、スイッチ操作部の撓みが適切な量を保つので、クリック感への影響が少ない。
【発明を実施するための最良の形態】
【００１３】
以下、本発明を図面に示す実施の形態に基づいて詳細に説明する。
図１は本発明に係る押釦スイッチの取付構造の一実施の形態を示す断面図、図２はケースの要部の平面図、図３はシートを取り除いたケースの要部の平面図、図４は要部の拡大断面図、図５は操作時のクリック感を説明するための図である。
これらの図において、温度調節器のケース１０は、所要の大きさの箱型に形成されて内部に押釦スイッチ１１がプリント基板１２を介して収納され、上面１０ａには柔軟性を有するシート１３が全面にわたって貼着されている。
【００１４】
またケース１０の上面１０ａとシート１３との間には、空間１４が前記押釦スイッチ１１に対応して形成されている。この空間１４は、押釦スイッチ１１の操作時にシート１３が撓む領域、すなわちシート１３のスイッチ操作部１６を規定するもので、本実施の形態においては、ケース１０の上面１０ａに形成した凹部１５の内部空間とされる。凹部１５は、円形の凹部からなり、スイッチ１１を操作する指先（人差し指）が納まる大きさ、具体的には直径が１２ｍｍφ〜２０ｍｍφ程度の大きさが好ましく、深さが０．３〜０．５ｍｍ程度に設定されている。また、凹部１５の外周は、シート１３の裏面に接するか僅かに隙間を保たせておくことが望ましい。
【００１５】
さらに、前記ケース１０の上面板１０Ａには、貫通孔からなる小孔１７が前記押釦スイッチ１１に対応して形成されている。この小孔１７は、押釦スイッチ１１の押釦１８の外径より若干大きい内径を有して上端が前記凹部１５の底面中央を開口することにより、凹部１５に連通している。
【００１６】
前記プリント基板１２は、前記上面板１０Ａの下面側に止めねじ２０によりスペーサ２１を介して固定され、上面側に前記押釦スイッチ１１が搭載されている。
【００１７】
前記押釦スイッチ１１は、スイッチ本体２２がプリント基板１２の上面に上向きに固定されて配設されている。押釦スイッチ１１の押釦１８は、細長いピン状に形成されてスイッチ本体２２の上方に延在し、上端部が前記ケース１０の小孔１７を貫通して前記空間１４、言い換えれば凹部１５内に突出し、シート１３のスイッチ操作部１６と僅かな隙間Ｇ（０．１ｍｍ程度）を保って対向している。押釦１８の操作移動量Ｓは、０．２〜０．４ｍｍ程度で、凹部１５の深さＤ（０．３〜０．５ｍｍ）より小さく設定されている（Ｄ＞Ｓ）。言い換えれば、空間１４の深さは、押釦１８の操作移動量Ｓより深い。
【００１８】
前記シート１３は、押釦スイッチ１１の操作時に押圧されると変形し、押圧操作が解除されると速やかに元の状態に戻る柔軟性を有するシートであればよい。このようなシート１３としては、電気絶縁性の樹脂フィルム、例えばポリエチレン樹脂、ポリアミド樹脂、ポリ塩化ビニル樹脂からなるシートを用いることができる。シート１３のスイッチ操作部１６は、押釦スイッチ１１の操作時に押圧される部分であることを示すために、表面に凹部１５と同一の大きさの円２５と、「押」の漢字２６が表示されている。
【００１９】
このような押釦スイッチ１１の取付構造において、シート１３の表面でスイッチ操作部１６を指で押し下げると、押釦スイッチ１１を確実に動作させることができ、また良好なクリック感を得ることができる。すなわち、シート１３のスイッチ操作部１６が直接押釦１８を押し下げて押釦スイッチ１１を動作させるため、図９および図１０に示した従来のヒンジ式操作レバーを必要とせず、レバーを必要としなければレバーの寸法のばらつきによる影響がなく、確実な動作と良好なクリック感が得られる。
【００２０】
また、図５に示すようにスイッチ操作部１６の押釦１８に対応する中央部分から離れた箇所を押圧した場合であっても、凹部１５に対応する範囲内であれば、凹部の深さが押釦の操作移動量より深いため、凹部１４の底面に当たって撓み量が適切な量を保つため、この場合も良好なクリック感を得ることができる。
【００２１】
図６は本発明に係る押釦スイッチの取付構造の他の実施の形態を示す断面図、図７はケースの要部の平面図、図８は要部の断面図である。
本実施の形態は、ケース１０の表面１０ａとシート１３の下面１３ａとの間の空間１４をエンボス加工によってシート１３の裏面側に形成した凹部３０の内部空間で構成し、押釦１８の上端部を前記凹部３０内に挿入し、凹部３０の底面と押釦１８の上面との間に僅かな隙間Ｇ（０．１ｍｍ程度）を設定したものである。エンボス加工によってシート１３の表面側に突出したエンボス部３１は、円形のスイッチ操作部１６を形成している。その他の構成は上記した実施の形態と略同一であるため、同一構成部材、部分については同一符号をもって示し、その説明を省略する。
【００２２】
このような構造からなる押釦スイッチの取付構造においても、シート１３のスイッチ操作部１６を押圧すると、スイッチ操作部１６が直接押釦１８を押し下げて押釦スイッチ１１を動作させるため、上記した実施の形態と同様に押釦スイッチ１１を確実に動作させることができ、良好なクリック感が得られることは明らかであろう。
【図面の簡単な説明】
【００２３】
【図１】本発明に係る押釦スイッチの取付構造の一実施の形態を示す断面図である。
【図２】ケースの要部の平面図である。
【図３】シートを取り除いたケースの要部の平面図である。
【図４】要部の拡大断面図である。
【図５】操作時のクリック感を説明するための図である。
【図６】本発明に係る押釦スイッチの取付構造の他の実施の形態を示す断面図である。
【図７】ケースの要部の平面図である。
【図８】要部の拡大断面図である。
【図９】従来の押釦スイッチの取付構造を示す断面図である。
【図１０】シートを取り除いたケースの要部の平面図である。
【符号の説明】
【００２４】
１０…ケース、１１…押釦スイッチ、１２…プリント基板、１３…シート、１４…空間、１５…凹部、１６…スイッチ操作部、１７…小孔、１８…押釦。
【図１】
2010092736.tif 000003
【図２】
2010092736.tif 000004
【図３】
2010092736.tif 000005
【図４】
2010092736.tif 000006
【図５】
2010092736.tif 000007
【図６】
2010092736.tif 000008
【図７】
2010092736.tif 000009
【図８】
2010092736.tif 000010
【図９】
2010092736.tif 000011
【図１０】
2010092736.tif 000012